(57)【要約】【課題】  所定の基地局エリアの通信圏外となった場合に、該通信圏外となったことをユーザが認識することができ、また、当該基地局との再接続を行うのか他の基地局との接続を行うのかをユーザが設定でき、空港などにおける使い勝手を向上させる。【解決手段】  回線制御装置と、複数の基地局装置と、少なくとも１つの無線端末より構成されるマルチチャネルアクセス方式を用いた無線通信システムにおいて、前記無線端末が通話チャネルにて送信中または受信中に所定の基地局の通信圏外となった場合に、該所定の基地局の通信圏外となったことを当該無線端末の表示画面または音声出力にて報知することを特徴とする無線通信システム。【選択図】  図１
2006352454.tif 000002
【特許請求の範囲】
【請求項１】
回線制御装置と、複数の基地局装置と、少なくとも１つの無線端末より構成されるマルチチャネルアクセス方式を用いた無線通信システムにおいて、
前記無線端末が通話チャネルにて送信中または受信中に所定の基地局の通信圏外となった場合に、該所定の基地局の通信圏外となったことを当該無線端末の表示画面または音声出力にて報知することを特徴とする無線通信システム。
【請求項２】
前記所定の基地局の通信圏外となった場合に、当該基地局との制御チャネルの捕捉を行うことで前記所定の基地局との再接続がされた場合には、前記通信圏外となった旨の表示または音声出力での報知を行わず、前記所定の基地局とは異なる他の基地局との再接続を行う場合にのみ通信圏外となった旨の表示または音声出力にて報知することを特徴とする前記請求項１記載の無線通信システム。
【請求項３】
回線制御装置と、複数の基地局装置と、少なくとも１つの無線端末より構成されるマルチチャネルアクセス方式を用いた無線通信システムにおいて、
前記無線端末が通話チャネルにて送信中または受信中に通信圏外となった場合に、該基地局の通信圏外となったことを当該無線端末の表示画面または音声出力にて報知し、
且つ、前記複数の基地局より所定の基地局を選択する基地局選択モードに移行し、
該移行した基地局選択モードの操作に基づいて所定の基地局を選択し、
該選択した所定の基地局との通話チャネルにて送受信可能とすることを特徴とする無線通信システム。
【発明の詳細な説明】
【技術分野】
【０００１】
本発明は、無線端末装置と基地局装置とが無線により通信する無線通信システムに関し、特に、空港などにおける使い勝手を向上させた業務用の無線通信システムに関する。
【背景技術】
【０００２】
例えば、空港エリア内に存する航空機の安全性やユーザの快適性を確保するという重要な使命を担っている空港向けのマルチチャネルアクセス（ＭＣＡ：Ｍｕｌｔｉ  Ｃｈａｎｎｅｌ  Ａｃｃｅｓｓ）無線システムが、電波産業会（ＡＲＩＢ）により、空港内デジタル移動通信システム（ＡＲＩＢ  ＳＴＤ  Ｔ−８７）として規格化されている。
【０００３】
【非特許文献１】ＡＲＩＢ  ＳＴＤ−Ｔ８７  「空港内デジタル移動通信システム」、社団法人、電波産業会
【発明の開示】
【発明が解決しようとする課題】
【０００４】
しかしながら、上記のような無線通信システムの無線端末装置では、ユーザの使い勝手などの点で未だに不十分なところがあり、特に、空港などのように不特定多数の人が集まるような場所における無線端末装置の使い勝手を向上させたいといった要求があった。
具体的には、端末装置が通話チャネルを使用して送信中または受信中に所定の基地局エリアの通信圏外となった場合に、該通信圏外となったことをユーザが認識することができないという問題点があった。
さらに所定の基地局の通信圏外となった場合に当該基地局との再接続を行うのか、他の基地局との接続を行うのかをユーザが設定できないという問題点があった。
【０００５】
本発明は、このような従来の事情に鑑み為されたもので、空港などにおける使い勝手を向上させるべく、所定の基地局エリアの通信圏外となった場合に、該通信圏外となったことをユーザが認識することができ、また、当該基地局との再接続を行うのか他の基地局との接続を行うのかをユーザが設定できる無線通信システム及びそれに用いる無線端末装置を提供することを目的とする。
【課題を解決するための手段】
【０００６】
上記従来の問題点を解決するため請求項１に記載の発明は、回線制御装置と、複数の基地局装置と、少なくとも１つの無線端末より構成されるマルチチャネルアクセス方式を用いた無線通信システムにおいて、前記無線端末が通話チャネルにて送信中または受信中に所定の基地局の通信圏外となった場合に、該所定の基地局の通信圏外となったことを当該無線端末の表示画面または音声出力にて報知することを特徴とする。
【０００７】
上記従来の問題点を解決するため請求項２に記載の発明は、前記請求項１記載の無線通信システムであって、前記所定の基地局の通信圏外となった場合に、当該基地局との制御チャネルの捕捉を行うことで前記所定の基地局との再接続がされた場合には、前記通信圏外となった旨の表示または音声出力での報知を行わず、前記所定の基地局とは異なる他の基地局との再接続を行う場合にのみ通信圏外となった旨の表示または音声出力にて報知することを特徴とする。
【０００８】
上記従来の問題点を解決するため請求項３に記載の発明は、回線制御装置と、複数の基地局装置と、少なくとも１つの無線端末より構成されるマルチチャネルアクセス方式を用いた無線通信システムにおいて、前記無線端末が通話チャネルにて送信中または受信中に通信圏外となった場合に、該基地局の通信圏外となったことを当該無線端末の表示画面または音声出力にて報知し、且つ、前記複数の基地局より所定の基地局を選択する基地局選択モードに移行し、該移行した基地局選択モードの操作に基づいて所定の基地局を選択し、該選択した所定の基地局との通話チャネルにて送受信可能とすることを特徴とする。
【発明の効果】
【０００９】
本発明によると、所定の基地局エリアの通信圏外となった場合に、該通信圏外となったことをユーザが認識することができ、また、当該基地局との再接続を行うのか他の基地局との接続を行うのかをユーザが設定でき、空港などにおける使い勝手を向上させた無線通信システム及びそれに用いる無線端末装置を提供することができる。
【発明を実施するための最良の形態】
【００１０】
本発明に係る実施例を図面を参照して説明する。
図１は、本発明の実施の形態に係るマルチチャネルアクセス方式を用いた無線通信システムの構成例を示す。
本例の無線通信システムは、回線制御装置１と、複数の基地局装置Ｘ、Ｙ、・・・（図ではＸ、Ｙの２つを表示）と、複数の端末装置ａ、ｂ、・・・（図ではａ、ｂの２つを表示）を有している。
それぞれの基地局装置Ｘ、Ｙは、受信部２及びそのアンテナと、送信部３及びそのアンテナと、制御部４を備えている。
【００１１】
本例では、回線制御装置１と複数の基地局装置Ｘ、Ｙのそれぞれとが接続されており、  また、端末装置ｂが基地局装置Ｘの通信可能領域に存在しており、端末装置ａが基地局装置Ｙの通信可能領域から基地局装置Ｘの通信可能領域に移動したことを示している。
【００１２】
回線制御装置１は、マルチチャネルアクセスの回線使用状況（通信チャネルの使用状況）を管理する機能や、基地局装置Ｘ、Ｙに対して制御情報を作成して送信する機能や、基地局装置Ｘ、Ｙから送信された制御情報を受信して解析する機能や、制御情報の受信や送信により端末装置に対する回線使用（通信チャネルの使用）の指示を行う機能などを備えている。
本例では、回線制御装置１とそれぞれの基地局装置Ｘ、Ｙとは有線の回線で接続されており、当該回線を介して制御情報などの信号を通信する。
【００１３】
それぞれの基地局装置Ｘ、Ｙは、自局装置Ｘ、Ｙが収容する各端末装置ａ、ｂとの間で制御情報や通話情報などの信号を無線により通信する機能や、回線制御装置１との間で制御情報などの信号を通信する機能などを備えている。
具体的には、それぞれの基地局装置Ｘ、Ｙは、各端末装置から無線送信された制御情報を受信部２により受信及び復調して制御部４へ渡す機能や、制御部４から出力された制御情報を送信部３より変調して各端末装置に対して無線により送信する機能や、制御部４により回線制御装置１との間で制御情報などを通信する機能などを備えている。
【００１４】
それぞれの端末装置ａ、ｂは、自装置ａ、ｂを収容する基地局装置Ｘ、Ｙとの間で制御情報や通話情報などの信号を無線により通信する機能や、ユーザ（人）によりキーやボタンなどが操作されて当該操作に応じて発呼や受話や各種の表示などを行う機能などを備えている。
【００１５】
本実施例に係る無線通信システムでは、例えば周波数や時間帯（スロット番号）などが異なる複数の通信チャネルを端末装置ａ、ｂに動的に割り当てながら無線通信が行われる。
本実施例では、回線制御装置１が通信チャネルの全体的な割り当てや管理を行い、それぞれの基地局装置Ｘ、Ｙが収容する端末装置ａ、ｂに対する通信チャネルの指定を行い、端末装置ａ、ｂは指定された通信チャネルを使用して無線通信を行う。
なお、通信チャネルとしては、例えば、電話の通話やデータの通信などを行うための通話チャネルが用いられる。
【００１６】
図３は、本発明の実施の形態に係る無線通信システムの無線端末の第1の表示画面例を示す。
無線端末の表示画面には、３１の電波状況を示すアイコン領域、３２の単信か複信かの通信形態を示す表示領域、３３の基地局エリアを自動で選択するか手動で選択するかを示す表示領域、３４の通信相手先や送受信データを示す表示領域、３５の送信か受信かを示す表示領域、３６の音声データか文字データかを示す表示領域、などの各表示領域がある。
この第1の表示画面例は、通常の通信状態を示す例であり、所定の基地局のエリア内３３であることを「自動ＢＳ」で示し、通信形態３２の「単信」にてプレストーク３５「送信」を押下し、通信データ３６「音声」にて送信を行っていることを示す。
【００１７】
図２は、本発明の実施の形態に係る無線通信システムの無線端末の動作フローチャートの一例を示す。
この動作フローチャートは、端末装置が通話チャネルを使用して送信中または受信中に所定の基地局エリアの通信圏外となった場合に、端末装置の表示画面及びスピーカより通信圏外となったことを報知することでユーザが認識することができるものである。
ここで、所定の基地局エリアと通信圏外となった場合に、当該基地局との制御チャネルの捕捉ができた場合、すなわち、通信圏外となる前の基地局との再接続がされた場合には圏外となった旨を表示や音声にて報知せず、他の基地局との再接続を行う場合にのみ圏外となった旨を表示や音声にて報知するものである。
【００１８】
図４は、本発明の実施の形態に係る無線通信システムの無線端末の第２の表示画面例を示す。
この第2の表示画面例は前述した図2の動作を行い、前述の第1の表示画面例の状態から、当該無線端末が当該基地局エリア外に移動した場合を示す。
表示領域３１の電波状況を示すアイコン領域は電波状況が「ゼロ」（受信レベル：ゼロ）となり、３３の基地局エリアは「自動」で基地局を選択することを継続し、３４は「圏外」を示し、３５は再接続した場合に送信を継続する「再送」を表示し、３６は基地局エリアのスキャンを行っている状態を示している。
この状態において、所定の基地局エリアの圏外であることを表示領域３４「圏外」及びビープ音を鳴動することでユーザは把握することができる。
例えば、以下の実施例１や実施例２に示す動作となる。
【００１９】
（実施例１）
送信中に圏外になった場合（他基地局も見えず、ハンドオーバも発生しない場合）：
（１）圏外状態になると無線機は同期はずれ検出：３秒程度継続。
（２）通話チャネルを放棄する。
（３）元Ｃｃｈの捕捉開始に行く。
（４）元Ｃｃｈの捕捉に失敗する。⇒１秒程度プッ、プッ、・・・と鳴る。
（５）”圏外”アイコンを表示する。⇒プッ、プッ、・・・と鳴る。
（６）全Ｃｃｈスキャンを開始するが捕捉失敗で圏外継続⇒プッ、プッ、・・・と鳴る。
以後、圏内に戻るときの動作は、
（１）同期ワード認識⇒３秒程度：認識できるまでプッ、プッ、・・・と鳴る。
（２）”圏内”アイコンを表示する。
（３）送信プレスを継続していた場合は、呼出動作にいく。
【００２０】
（実施例２）
受信中に圏外になった場合（他基地局も見えず、ハンドオーバも発生しない場合）：
（１）圏外状態になると無線機は同期はずれ検出：音声が聞こえなくなる。
（２）約３秒後Ｓｃｈを放棄する⇒プーッ、プーッ、と鳴る。
（３）元Ｃｃｈの捕捉開始に行く。
（４）元Ｃｃｈの捕捉失敗（１秒程度）。
（５）”圏外”アイコンを表示する。
（６）全Ｃｃｈスキャンを開始する。
以後、圏内に戻るときの動作は、
（１）同期ワード認識⇒３秒程度かかる。
（２）”圏内”アイコンを表示する（後追いがあれば着信する）。
【００２１】
図５は、本発明の実施の形態に係る無線通信システムの動作シーケンスの一例を示す。
この動作シーケンスは、端末装置が通話チャネルを使用して送信中または受信中に所定の基地局エリアの通信圏外となった場合に、端末装置の表示画面及びスピーカより通信圏外となったことを報知することでユーザが認識し、さらに、当該所定の基地局との再接続を行う場合に基地局の選択を手動で行う場合の動作を示すものである。
ここで、所定の基地局エリアと通信圏外となった場合に、当該基地局との制御チャネルの捕捉ができない場合、すなわち、通信圏外となる前の基地局との再接続がされない場合には圏外となった旨を表示や音声にて報知し、他の基地局をユーザが選択し、選択した他の基地局との接続を行うことにより、圏外から圏内に入ったことで報知を終了するものである。
移動する無線端末を、当該無線端末を保持するユーザが基地局の設定を行う場合に有効である。
【００２２】
図６は、本発明の実施の形態に係る無線通信システムの無線端末の第３の表示画面例を示す。
この第３の表示画面例は前述した図５の動作を行い、前述の第1の表示画面例若しくは第2の表示画面例の状態から、当該無線端末を手動にて基地局の選択を行う場合を示す。
３３の基地局エリアは「手動」で基地局を選択するようにし、３５は再接続した場合に送信を継続する「再送」を表示し、３６は例えば基地局一覧の中より所定の基地局を選択（図６では基地局Ｘを選択）する状態を示し、選択した基地局にて受信可能となる場合は、表示領域３１の電波状況を示すアイコン領域は電波状況が「ゼロ」でない状態となって、該選択した基地局にて通信回線が確保されると領域３４の「圏外」表示が無くなり、ビープ音の鳴動も停止する。
【００２３】
このように携帯無線機が送信中または受信中に圏外になったとき、端末の表示だけでなくビープ音を鳴動させることができる。
また、ビープ音の長さを変えることで、送信中の圏外、受信中の圏外、など鳴動音だけでユーザが通信状態を把握することができる。
また本実施の形態によれば、例えば、通信圏外となった直前の、すなわち最後に通信を行っていた基地局を再度通信圏内となった場合の基地局選択の候補としたり、または、最後に通信を行っていた基地局の近傍の他の基地局を選択候補とすることができる。
【００２４】
ここで、本発明に係る無線通信システムや親局装置や子局装置の構成としては、必ずしも以上に示したものに限られず、種々な構成が用いられてもよい。
また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
例えば、音声の情報を通信するものばかりでなく、テキストや画像などの種々な情報を通信するものに適用することも可能である。
【００２５】
また、本発明に係る無線通信システムや親局装置や子局装置において行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２６】
【図１】本発明の実施の形態に係るマルチチャネルアクセス方式を用いた無線通信システムの構成例を示す。
【図２】本発明の実施の形態に係る無線通信システムの無線端末の動作フローチャートの一例を示す。
【図３】本発明の実施の形態に係る無線通信システムの無線端末の第1の表示画面例を示す。
【図４】本発明の実施の形態に係る無線通信システムの無線端末の第２の表示画面例を示す。
【図５】本発明の実施の形態に係る無線通信システムの動作シーケンスの一例を示す。
【図６】本発明の実施の形態に係る無線通信システムの無線端末の第３の表示画面例を示す。
【符号の説明】
【００２７】
１：回線制御装置、２：受信部、３：送信部、４：制御部、
Ｘ、Ｙ：基地局、
ａ、ｂ：無線端末、
３１〜３６：表示画面の各表示領域。
【図１】
2006352454.tif 000003
【図２】
2006352454.tif 000004
【図３】
2006352454.tif 000005
【図４】
2006352454.tif 000006
【図５】
2006352454.tif 000007
【図６】
2006352454.tif 000008